Podtech/llm-jp-corpus-v4-ja_patent huggingface dataset:
(57)【要約】【課題】  現在市販されている電動歯ブラシは往復運動、回転運動、超音波振動等で、往復、回転運動歯ブラシは比較的安価ではあるが、歯の表面を高速で移動するだけで、歯と歯の間または歯と歯茎の間はうまく磨けない。超音波振動歯ブラシは効果があるといわれているが、高価である。  歯茎に負担をかけずに、歯周病予防に効果的で、安価な歯ブラシを考案する。【解決手段】  ブラシ部分を小さな円運動させることにより、ブラシの毛の中間部分の弾性を有効に利用して、効率的に狭い箇所にもぐりこませ、ブラシの毛先で汚れを掻き出させる。【選択図】図１
0003136340.tif 000002
【実用新案登録請求の範囲】
【請求項１】
ブラシ部分を毎分１２０〜３６０回の低速円運動させることにより、手で磨いているような柔らかな動きを実現した電動歯ブラシ。
【考案の詳細な説明】
【技術分野】
【０００１】  本考案は、歯周病を予防するのに効果的な、手磨き感覚の電動歯ブラシに関するものである。
【背景技術】
【０００２】  電動歯ブラシの歴史は、バス法を中心とした往復運動が出発点にあり、その後ブラシ部分を回転させるものになり、高速運動を与え超音波振動へと変わってきた。しかし、使ってみればわかるが、毛先が歯の上を高速で動いているだけで歯自体は磨けても歯と歯ぐきの間には毛先が届いていない。また、超音波振動を与えるために高速運動するため、歯茎には相当の負担がかかっている。【０００３】  そこでブラシの先端を小さな円運動させることにより、スクラッピング法、バス法、フォーンズ法、ローリング法などすべての動きをカバーできることに気がついた。狭い場所に毛の先端をもぐりこませ、毛の柔軟性、バネを生かして掻き出させるのである。【０００４】  デッキブラシ等で細かい凹凸面を磨く場合、往復運動より回転運動のほうが効率的であるように、歯ブラシにおいても手で回転運動を毛先に与えたほうが、歯周病等に効果的である。また、歯ブラシを高速で回転または往復運動させると、歯と歯の間に毛先が入りづらく、深いところの汚れが取り残される。
【発明の効果】
【０００５】  低速（毎分１２０〜３６０回）で回転運動させることにより、毛の中心部分の弾性を利用して、隙間の中に毛先を送り込み、掃き出し効果、押し出し効果によって歯と歯、歯と歯茎の間の汚れを掻き出すことができ、歯周病に効果的である。また、毛先がゆっくり動くので、歯茎を傷めることも少ない。
【発明を実施するための一形態】
【０００６】  この発明の一実施形態を、図１に示す。
【図面の簡単な説明】
【０００７】
【図１】円運動電動歯ブラシの実施方法を示した説明図である。（実施例１）
【符号の説明】
【０００８】    １  ブラシ部  回転半径は５〜１０ｍｍ、回転数は毎分１２０〜３６０回
２  ブラシ部が取替え可能
３  防水部
４  上下動を軸で固定し、カムの動きをブラシ部に再現する
５  ゼロールかさ歯車、フェースギヤ、ウォームギヤ等でモーターの回転を横から縦に変換
６  モーター
【図１】
0003136340.tif 000003
(57)【要約】【課題】カーペット（絨毯）に絡み付いたり、深層部に入り込んだ、（ペットの）毛や埃は、掃除機や粘着シートでは払拭されにくいという不都合の解決。【解決手段】先端部が湾曲した一連からなるコーム状部に、持ち手を設けた、この清掃用具によって、課題を解決する。【選択図】図１
0003136337.tif 000002
【実用新案登録請求の範囲】
【請求項１】
先端部が湾曲した、一連のコーム状部に持ち手を設けた、カーペット（絨毯）清掃用具。
【考案の詳細な説明】
【技術分野】
【０００１】本考案は、カーペット清掃用具に関する。
【背景技術】
【０００２】従来のカーペット清掃用具（例えば掃除機や粘着シート）では、主に表面のみの（ペットの）毛や埃を払拭していた。
【考案の開示】
【考案が解決しようとする課題】
【０００３】しかし、これではカーペットに絡み付いたり、深層部に入り込んだ毛や埃を払拭できない。また、幾連からなるブラシ状の清掃用具の場合、払拭した毛や埃がブラシ部分に絡み付き、排除に手間がかかる。
【課題を解決するための手段】
【０００４】そこで、先端が湾曲した、一連からなるコーム状部に持ち手を設けたカーペット清掃用具を考案した。（図１）
【考案の効果】
【０００５】本考案のカーペット清掃用具により、カーペットに絡み付いたり、入り込んだ毛や埃をかき出すように払拭することができる。  また、一連のコームの形状により、払拭した毛や埃の排除も簡素化することができる。
【考案を実施するための最良の形態】
【０００６】本考案に係るカーペット清掃用具は、カーペットに絡み付いたり、深層部に入り込んだ毛や埃をかき出すのに適するよう、コーム状部の先端は湾曲している。また、払拭した毛や埃を排除し易いように、一連の形状である。また、コーム状部の目の幅（隙間）は、最も毛や埃を払拭し易い幅にする。そして、素材は硬質なステンレスが望ましい。またコーム状部の先端は、カーペット（絨毯）を傷めないよう、適度な丸み（厚み）を持たせる。そして、そのコーム状部には持ち手を設ける。また、持ち手の形状・素材は、図２に示すように、様々に対応（アレンジ）させるのが望ましい。同様に、コーム状部、持ち手の長さも様々にアレンジすることが望ましい。
【図面の簡単な説明】
【０００７】
【図１】本考案に係るカーペット清掃用具の斜視図である。
【図２】持ち手のアレンジの参考図である。
【符号の説明】
【０００８】１    コーム状部
２    持ち手
【図１】
0003136337.tif 000003
【図２】
0003136337.tif 000004
(57)【要約】【課題】小型かつハリス交換時に糸を通し易い釣り用撚り戻し具を提供する。【解決手段】樽体１１の両端に連結環１２，１３が回転自在に取り付けられた釣り用撚り戻し具において、一方の連結環１３の内径Ｄ２が、他方の連結環１２の内径Ｄ１より大きい。樽体１１の外径Ｄ３を他方の連結環１２の外径Ｄ４以下、一方の連結環１３の内径Ｄ２を樽体１１の外径Ｄ３以上とする。【選択図】  図１
0003136391.tif 000002
【実用新案登録請求の範囲】
【請求項１】
樽体の両端に連結環が回転自在に取り付けられた釣り用撚り戻し具において、
一方の連結環の内径が、他方の連結環の内径より大きいことを特徴とする釣り用撚り戻し具。
【請求項２】
請求項１に記載の釣り用撚り戻し具において、
前記樽体の外径が、前記他方の連結環の外径以下であることを特徴とする釣り用撚り戻し具。
【請求項３】
請求項１又は２に記載の釣り用撚り戻し具において、
前記一方の連結環の内径が、前記樽体の外径以上であることを特徴とする釣り用撚り戻し具。
【考案の詳細な説明】
【技術分野】
【０００１】
本考案は、釣り具の仕掛けなどに用いられる釣り用撚り戻し具に関するものである。
【背景技術】
【０００２】
従来の撚り戻し具は、中央の樽体の両端に連結環を回転自在に設けたものであり、これによりたとえば道糸とハリスの撚りを解消することができる。
【０００３】
しかしながら、釣り仕掛けのバランス上、樽体及び連結環の外径を小さくすることが好まれ、連結環の外径を小さくすると、特にハリス交換時に孔に糸を通し難いという問題があった。
【０００４】
【特許文献１】実公平６−９５４号公報
【考案の開示】
【考案が解決しようとする課題】
【０００５】
本考案が解決しようとする課題は、小型かつハリス交換時に糸を通し易い釣り用撚り戻し具を提供することである。
【課題を解決するための手段】
【０００６】
本考案は、以下の解決手段によって上記課題を解決する。なお、本考案の実施形態を示す図面に対応する符号を付して説明するが、この符号は本考案の理解を容易にするためだけのものであって本考案を限定する趣旨ではない。
【０００７】
［１］本考案に係る釣り用撚り戻し具（１）は、樽体（１１）の両端に連結環（１２，１３）が回転自在に取り付けられた釣り用撚り戻し具において、一方の連結環（１３）の内径（Ｄ２）が、他方の連結環（１２）の内径（Ｄ１）より大きいことを特徴とする。
【０００８】
［２］また、上記考案に係る釣り用撚り戻し具（１）において、樽体（１１）の外径（Ｄ３）を他方の連結環（１２）の外径（Ｄ４）以下、一方の連結環（１３）の内径（Ｄ２）を樽体（１１）の外径（Ｄ３）以上とすることができる。
【考案の効果】
【０００９】
本考案に係る釣り用撚り戻し具は、小型で、しかもハリス交換時に糸を通し易い。
【考案を実施するための最良の形態】
【００１０】
以下、本考案の実施形態を図面に基づいて説明する。
【００１１】
図１は本考案の実施形態に係る釣り用撚り戻し具を示す一部破断正面図である。本実施形態の撚り戻し具１は、内部に中空部１４を有し、両端に孔１５，１６が形成された金属製樽体１１と、この樽体１１の両端に回転自在に取り付けられた金属製連結環１２，１３とを備える。
【００１２】
連結環１２，１３は、それぞれリング状とされて、その先端が樽体１１の孔１５，１６に挿入され、さらに外側へ鉤状に折り曲げられている。これにより、それぞれの連結環１２，１３は樽体１１に対して相対的に回転自在とされる。好ましくは、連結環１２に道糸２を結び、連結環１３にハリスを結ぶ。
【００１３】
一方の連結環１２は略ひし形のリング状とされ、他方の連結環１３は略円形のリング状とされている。そして、連結環１２の内径をＤ１，外径をＤ４，連結環１３の内径をＤ２，樽体１１の外径をＤ３としたときに、Ｄ４＞Ｄ３、Ｄ２＞Ｄ１およびＤ２＞Ｄ３の関係が成立する形状関係とされている。
【００１４】
すなわち、釣り仕掛けのバランスを考慮して、樽体１１の外径Ｄ３を連結環１２の外径Ｄ４以下とする。また、ハリスを通し易くするために連結環１３の内径Ｄ２を連結環１２の内径Ｄ１及び樽体１１の外径Ｄ３より大きくする。
【００１５】
これにより、一方の連結環１２と樽体１１が小型になるので、撚り戻し具１全体として小型になる。また、他方の連結環１３の内径Ｄ２は充分に大きいのでハリス交換時に糸を通し易い。
【００１６】
なお、本考案を限定する趣旨ではないが、Ｄ１〜Ｄ４の組み合わせの例を挙げれば以下のとおりである。
【００１７】
【表１】
0003136391.tif 000003
【図面の簡単な説明】
【００１８】
【図１】本考案の実施形態に係る釣り用撚り戻し具を示す一部破断正面図である。
【符号の説明】
【００１９】
１…撚り戻し具
１１…樽体
１２…連結環
１３…連結環
２…道糸
３…ハリス
【図１】
0003136391.tif 000004
(57)【要約】      （修正有）【課題】ペット仏壇やインテリア仏壇などは、仏壇自体が小さくデザイン的にも仏具を置くスペースが制限されるために、電子ロウソクが設置できないなどが生じ、電子ロウソクの一層の小型化と取り扱い易さを図る。【解決手段】燭台１に中空状のロウソク本体２を起立状態に備え、ロウソク本体２の上端に透光性材料で形成した炎形ケース３を備え、炎形ケース３内に発光体を備え、電池を電源としてスイッチ機構７のオン・オフにより発光体を点灯消灯させる電子ロウソクにおいて、発光体を小型で熱の発生が少なく球切れの無いＬＥＤ４とし、電池を小型で薄肉のボタン電池５とし燭台１内に収納し、感覚的に良好な操作性と構造簡易化のためにスイッチ機構７のオン・オフが炎形ケース３を押圧することで作用させ、電池交換やメンテナンスの容易化のために燭台１の底部に着脱自在に底蓋８を設置した。【選択図】図２
0003136358.tif 000002
【実用新案登録請求の範囲】
【請求項１】
燭台に中空状のロウソク本体を起立状態に備え、該ロウソク本体の上端に透光性材料で形成した炎形ケースを備え、該炎形ケース内に発光体を備え、電池を電源としてスイッチ機構のオン・オフにより該発光体を点灯消灯させる電子ロウソクにおいて、発光体がＬＥＤであり、電池が燭台内に収納されたボタン電池であり、スイッチ機構のオン・オフが炎形ケースを押圧することで作用し、燭台の底部に着脱自在に底蓋が設置されたことを特徴とする電子ロウソク。
【請求項２】
電子基板にスイッチ機構が固着されロウソク本体下端に設置され、燭台の底蓋にボタン電池が付属して燭台から離脱することを特徴とする請求項１に記載の電子ロウソク。
【考案の詳細な説明】
【技術分野】
【０００１】
本考案は、仏事に用いる電気で発光する電子ロウソクに関する。
【背景技術】
【０００２】
従来、火災の心配がない電気で発光する電子ロウソクがあり、コンセントを電源とする仕様のものは電源コードの有長短による支障、スペースを取る、美観を損なう等の問題があり、小型で取り扱い易い、電池を電源とする電子ロウソクの使用が近年増加している。
【特許文献１】特開２００２−１７０４１０号公報
【考案の開示】
【考案が解決しようとする課題】
【０００３】
昨今増えている、ペット仏壇やインテリア仏壇などにおいては、仏壇自体が小さくデザイン的にも仏具を置くスペースが制限されるために、電子ロウソクが設置できないなどが生じ、電子ロウソクの一層の小型化と取り扱い易さが望まれている。
【課題を解決するための手段】
【０００４】
本考案は、燭台に中空状のロウソク本体を起立状態に備え、該ロウソク本体の上端に透光性材料で形成した炎形ケースを備え、該炎形ケース内に発光体を備え、電池を電源としてスイッチ機構のオン・オフにより該発光体を点灯消灯させる電子ロウソクにおいて、発光体を小型で熱の発生が少なく球切れの無いＬＥＤとし、電池を小型で薄肉のボタン電池とし燭台内に収納し、感覚的に良好な操作性と構造簡易化のためにスイッチ機構のオン・オフが炎形ケースを押圧することで作用させ、電池交換やメンテナンスの容易化のために燭台の底部に着脱自在に底蓋を設置した電子ロウソクとする。
【０００５】
さらには、構造簡易化のために電子基板に固着した押しボタン状のスイッチ機構をロウソク本体下端に設置し、ボタン電池交換の容易化のために燭台底部に着脱自在に設置された底蓋を燭台から離脱する際、ボタン電池も底蓋に付属して燭台から離脱させる。
【考案の効果】
【０００６】
本考案の電子ロウソクによれば、構成部品の小型化とシンプルで効率良い構造により小型化が図られ仏具を置くスペースが極めて狭いペット仏壇などにも設置でき、かつ、燭台底部に着脱自在に設置された底蓋によって、電池交換やメンテナンスが容易に行え扱い易い電子ロウソクの提供と幅広い利用展開を得る。
【０００７】
さらに、スイッチ機構を電子基板に固着しロウソク本体下端に設置することで構造の簡易化を得、かつ、ボタン電池が燭台底部に着脱自在に設置された底蓋に付属して燭台から離脱することで、従来の混み入った燭台に嵌め込まれた電池を取り外す煩わしさを解消し、極めて小さく取り扱い易い電子ロウソクを提供できる。
【考案を実施するための最良の形態】
【０００８】
以下に本発明の実施例を図面に基づいて説明する。図１は本発明の電子ロウソクの正面図。図２は正面中央断面など表した構造説明図。図３は燭台の底蓋が離脱した際の斜視参考図。図４はボタン電池が付属する底蓋等の斜視参考図。
【０００９】
図１、２において説明すれば、燭台１は中空でスイッチ機構７が上面に固着された電子基板６とボタン電池５を収納し、燭台１上部に設けられた開口孔にロウソク本体２が挿入され、燭台１底部に底蓋８が着脱自在に設置される。ロウソク本体２は中空で上端部に透光性材料で形成された炎形ケース３が嵌合設置される。炎形ケース３の内部にはボタン電池５を電源とするＬＥＤ４が設置される。炎形ケース３はＬＥＤ４の光を柔らかく周囲に放光させるために表面をマット調にするなど光散乱処理するのが好ましい。ロウソク本体２の下端部が押しボタン状のスイッチ機構７の上に設置され、炎形ケース３を押圧する毎にスイッチの切替えがなされる。
【００１０】
構成部品は熱可塑性樹脂を用い射出成形で形成するのが効率良く好ましい。特に、燭台１は仕上がりが良くメッキにも対応できるＡＢＳ、ロウソク本体２はＡＢＳやＰＰなどの汎用樹脂、炎形ケース３はＰＭＭＡやＰＣ或いは安価なＰＰなどの樹脂を用いるのが好ましい。
【００１１】
図３、４について説明すれば、底蓋８に設けられた係止部９によりボタン電池５が底蓋８に付属し底蓋８と共に燭台１から離脱する。係止部９がボタン電池５の側面全てを被うと、ボタン電池５が底蓋８から取り外し難くなるので、一部のみ被うことが好ましい。
【図面の簡単な説明】
【００１２】
【図１】本発明の電子ロウソクの正面図。
【図２】構造説明図。
【図３】底蓋が離脱した際の斜視参考図。
【図４】ボタン電池が付属する底蓋等の斜視参考図。
【符号の説明】
【００１３】
１    燭台
２    ロウソク本体
３    炎形ケース
４    ＬＥＤ
５    ボタン電池
６    電子基板
７    スイッチ機構
８    底蓋
９    係止部
【図１】
0003136358.tif 000003
【図２】
0003136358.tif 000004
【図３】
0003136358.tif 000005
【図４】
0003136358.tif 000006
(57)【要約】      （修正有）【課題】従来品にあった座り方に自由度がなく骨盤等への矯正力が強すぎ長時間の使用に身体が耐えられないという問題点と、座り方に自由度はあるが座る角度や座り方によって効果が得にくい等の問題点を解決する。【解決手段】中心部分に溝を設けた構造を持つクッションにする。【選択図】図１
0003136381.tif 000002
【実用新案登録請求の範囲】
【請求項１】
中心部分に溝を設けた構造を持つ姿勢・筋力保持クッション
【考案の詳細な説明】
【技術分野】
【０００１】
本考案は、座位の姿勢での姿勢保持、筋力保持に効果的なクッションに関するものでる。
【背景技術】
【０００２】
椅子に座るという姿勢は、通常椅子の後方に腰を置き背もたれにもたれかかるようなリラックスした姿勢か、作業や勉強中等の少々前のめりな姿勢をとることが大半である。
この姿勢での筋力の動きを見ると、もたれかかるようなリラックス状態では腹筋、背筋ともに緩和されている。作業中のような前のめりの状態では、背筋は緊張状態であるが、腹筋は緩和されたままである。
このような姿勢は長期的に見て腹筋力・背筋力を衰えさせることにつながる。
腹筋力の衰えは、下腹のたるみ、肥満の増長となり健康に悪影響を与える。
また、リラックスした姿勢、前のめりの姿勢ともに重力が骨盤へ斜めにかかっているため長時間の座位は腰痛の原因ともなる。
現在、座位時の筋力衰えを防止しようとするためまたは、骨盤への重力負荷を軽減させるための製品が知られている。
しかしながら、従来品は、あるものは座り方に自由度がなく骨盤等への矯正力が強すぎ長時間の使用に身体が耐えられないという問題があるものや、座り方に自由度はあるが座る角度や座り方によって効果が得にくい等の問題があるものが多く、自由度と効果を兼ね揃えた製品が望まれていた。
【考案の開示】
【考案が解決しようとする課題】
【０００３】
本考案が解決しようとする課題は、従来品にあった座り方に自由度がなく骨盤等への矯正力が強すぎ長時間の使用に身体が耐えられないという問題点と、座り方に自由度はあるが座る角度や座り方によって効果が得にくい等の問題点を解決することにある。
【課題を解決するための手段】
【０００４】
中心部分に溝を設けた構造を持つクッションにすることにより問題を解決した。
【考案の効果】
【０００５】
平らなクッションに腰を掛けた場合どの位置に座っても同じ姿勢であるが、このクッションに腰を掛けると溝の部分に腰の中心を納めた姿勢となる。これは骨盤の形が逆三角形(逆台形)のため骨盤の中心がクッションのくぼんだ溝にはまるからである。クッションの中心以外へ腰をおろした場合でも、バランスの悪さから自然とバランスの良い溝のあるところへ骨盤が落ち着くよう座る位置が修正されていく。
これにより、骨盤の中心が溝の中、坐骨はクッションの厚いところにあり自然に骨盤が支えられ真っ直ぐになる。
結果、骨盤にとっては直線的に重力がかかり腰の負担が少なく腰痛予防となる。
骨盤が直線的な状態とは背筋が伸び、腹筋・背筋ともに適度な緊張した状態になっている。このことにより、筋力維持に効果があり、結果健康維持につながると考えられる。
従来品にあった自由度に関する問題点は、溝を設けた以外通常のクッションと同じ物なので自由度を制限しない構造となっており問題点を解決している。
座る位置による効果の差に関する問題点は、クッションの中心以外に座ったとしても意識せず自然修正されていくため常に高い効果を発揮でき問題点を解決している。
【考案を実施するための最良の形態】
【０００６】
中心部分に溝を設けた構造を持つクッションにより実現した。
【実施例１】
【０００７】
本考案のクッションは、クッションの中心部分に溝を設けたことを特徴としている。
材質はウレタン類、ゴム類、ポリエチレンを使用し、長時間使用でも通気性がよく熱がこもらず蒸れがない。
【０００８】
図のような形状のクッションを、着座したとき溝が前になるように椅子に敷く。
このまま着座すると、一番バランスの取れる溝の部分に骨盤の中心が行き、座骨部分がクッションの厚い部分で支える状態となる。
この状態が骨盤にとっては直線的に重力がかかり腰の負担が少なく腰痛予防となる。
また、骨盤が直線的な状態とは背筋が伸び、腹筋・背筋ともに適度な緊張した状態になっている。このことにより、筋力維持に効果があり、結果健康維持につながると考えられる。
【産業上の利用可能性】
【０００９】
本考案品は、デスクワークや勉強中にクッションとして長時間使用可能であり、使用するだけで筋力の衰えを防止し健康維持に役立つ。
又、車やバイクのシートに利用することにより、従来のシートと違い長時間に使用でも腰部に負担が少なく快適な運転が期待できる。
【図面の簡単な説明】
【００１０】
【図１】本考案上面図である。
【図２】本考案正面図である。
【図３】本考案側面図である。
【図１】
0003136381.tif 000003
【図２】
0003136381.tif 000004
【図３】
0003136381.tif 000005
(57)【要約】【課題】独自に実装することができるボール弁装置付きの流し台の排水管を提供する。【解決手段】流し台の排水管とボール弁モジュールとを結合して形成され、ボール弁モジュールがボール弁とボール弁開閉部からなり、排水の開閉を制御し、ボール弁開閉部が”開”に位置すると排水が行われ、ボール弁開閉部が”閉”に位置すると、排水がボール弁により止められ、封止された排水管において、清潔剤を滞在して垢を腐食できることが実現され、また、ボール弁モジュールと排水管とが一体成形である。【選択図】図１
0003136383.tif 000002
【実用新案登録請求の範囲】
【請求項１】
流し台水槽内の水を排出するための流し台の排水管と、ボール弁とボール弁開閉部とからなり、排水管の開閉を制御し、ボール弁開閉部が”開”に位置すると排水が行われ、ボール弁開閉部が”閉”に位置すると、排水がボール弁により止められるボール弁モジュールとが含有されることを特徴とする、ボール弁装置付きの流し台の排水管。
【請求項２】
排水管とボール弁モジュールとが一体成形であることを特徴とする、請求項１に記載のボール弁装置付きの流し台の排水管。
【請求項３】
該流し台の排水管がベローズであることを特徴とする、請求項１に記載のボール弁装置付きの流し台の排水管。
【請求項４】
少なくとも、一つの排水管の任意の位置に設けられたボール弁モジュールを有することを特徴とする、請求項１に記載のボール弁装置付きの流し台の排水管。
【請求項５】
ボール弁開閉部の外形がディスク状であることを特徴とする、請求項１に記載のボール弁装置付きの流し台の排水管。
【考案の詳細な説明】
【技術分野】
【０００１】
本考案は排水管装置に関し、特に、ボール弁装置が設けられ、排水の開閉を制御できる流し台の排水管に関する。
【背景技術】
【０００２】
従来の台所の流し台の排水管は、主としてベローズであり、台所の流し台の水槽の底部に円形スリーブ（フィルタ籠が設置可能である）が接続され、その底部から、突出した一段の小さい円形パイプに排水管の一端が接続され、排水管のもう一端が、地面や壁面の硬い排水管に挿入され、水槽中の水を排出する。ボール弁は、水管に付けられて、水の開閉を制御するものである。
【０００３】
従来の流し台の排水管は、その内部の管壁が清浄し難く、長期に垢が累積するため、衛生や健康に良くない。
【考案の開示】
【考案が解決しようとする課題】
【０００４】
本考案の目的は、有効的且つ便利的に流し台の排水管の内部の管壁を清浄できるボール弁装置付きの流し台の排水管を提供する。
【課題を解決するための手段】
【０００５】
請求項１の考案は、流し台水槽内の水を排出するための流し台の排水管と、ボール弁とボール弁開閉部とからなり、排水管の開閉を制御し、ボール弁開閉部が”開”に位置すると排水が行われ、ボール弁開閉部が”閉”に位置すると、排水がボール弁により止められるボール弁モジュールとが含有されることを特徴とする、ボール弁装置付きの流し台の排水管である。
【０００６】
請求項２の考案は、排水管とボール弁モジュールとが一体成形であることを特徴とする、請求項１に記載のボール弁装置付きの流し台の排水管である。
【０００７】
請求項３の考案は、該流し台の排水管がベローズであることを特徴とする、請求項１に記載のボール弁装置付きの流し台の排水管である。
【０００８】
請求項４の考案は、少なくとも、一つの排水管の任意の位置に設けられたボール弁モジュールを有することを特徴とする、請求項１に記載のボール弁装置付きの流し台の排水管である。
【０００９】
請求項５の考案は、ボール弁開閉部の外形がディスク状であることを特徴とする、請求項１に記載のボール弁装置付きの流し台の排水管である。
【考案を実施するための最良の形態】
【００１０】
図１は、本考案のより良い実施例であるボール弁装置付きの流し台の排水管１であり、その後段に、ボール弁とボール弁開閉部１１１とからなるボール弁モジュール１１が実装され、排水管１の先端が排水管先端継ぎ手１２であり、排水管１の後端が排水管末端継ぎ手１３である。
【００１１】
図２を参照しながら、流し台の水槽３の底部に円形スリーブ２が接続され、円形スリーブ２の末端が排水管先端継ぎ手１２と接続するための一段の小さい円形パイプ２１であり、排水管末端継ぎ手１３が地面（或いは壁面）の外接排水管に挿入される。
【００１２】
排水管の内部の管壁を洗浄する時、ボール弁開閉部１１１を”閉”に位置させてから適当の量である専用清潔剤を注入し、そして適当な量の水を注入する。専用の清潔剤は、水を注入することにより垢を腐食する効果が得られる。また、相当な時間を経過した後、ボール弁開閉部１１１を”開”に位置させると、清潔剤が排出され、この時、ボール弁モジュール１１の後段にある排水管の管壁にも清潔剤が接触し、後段の管壁にある垢が清潔剤より腐食されるため、少し待ってから、水道栓を開けて、適当な量の水を円形スリーブ２と排水管１を介して流すと、清潔剤と腐食された垢とも除去される。
【図面の簡単な説明】
【００１３】
【図１】本考案に係わる装置のより良い実施例
【図２】本考案に係わる装置と流し台水槽との位置関係図
【符号の説明】
【００１４】
１      ボール弁装置付きの流し台の排水管
１１    ボール弁モジュール
１１１  ボール弁開閉部
１２    排水管先端継ぎ手
１３    排水管末端継ぎ手
２      円形スリーブ
２１    小さい円形パイプ
３      流し台水槽
【図１】
0003136383.tif 000003
【図２】
0003136383.tif 000004
(57)【要約】【課題】椅子の展開と角度の固定が容易になり、折り畳み後、体積と厚さが大幅に減少し、堆積置放に便利、占有空間を減少させる折り畳み椅子の新型構造を提供する。【解決手段】座椅子主架と、座椅子主架に折合する両椅子の脚、上方から座椅子主架に蓋をする弾性蓋板とからなり、座椅子主架の主体は、二つの縦向け支架、及び、二つの横向けの支架からなり、両横向け支架間の中段位置に中梁を設置し、中梁は支架により囲まれる空間を左右椅子脚空間の二部分に分割する。弾性蓋板は弾性板材で、中央位置から中梁上に固定され、両側の可動端は定位槽を有し、両椅子脚が回転軸部を形成して、外側に扇形翻動する。椅子脚の回転軸に近い一端は凸ブロックを形成し、椅子脚と座椅子主架が垂直になる時、凸ブロックは前記座椅子主架の外に突出し、凸ブロックは弾性蓋板の定位槽内に係合する。【選択図】図１
0003136384.tif 000002
【実用新案登録請求の範囲】
【請求項１】
折り畳み椅子の新型構造であって、座椅子主架と、前記座椅子主架に折合する両椅子の脚、上方から前記座椅子主架に蓋をする弾性蓋板とからなり、前記座椅子主架の主体は、二つの縦向け支架、及び、二つの横向けの支架からなり、前記両横向け支架間の中段位置に中梁を設置し、前記中梁は支架により囲まれる空間を左右椅子脚空間の二部分に分割し、前記弾性蓋板は弾性板材で、中央位置から前記中梁上に固定され、両側の可動端は定位槽を有し、前記両椅子脚が回転軸部を形成して、外側に扇形翻動し、前記椅子脚の回転軸に近い一端は凸ブロックを形成し、前記椅子脚と前記座椅子主架が垂直になる時、前記凸ブロックは前記座椅子主架の外に突出し、前記凸ブロックは弾性蓋板の定位槽内に係合することを特徴とする、折り畳み椅子の新型構造。
【請求項２】
前記中梁は旋転素子を有し、前記中梁に凹設された旋転素子槽に位置することを特徴とする、請求項１に記載の折り畳み椅子の新型構造。
【請求項３】
前記椅子の脚は抵止部を有し、前記旋転素子の制限を受けることを特徴とする、請求項１に記載の折り畳み椅子の新型構造。
【考案の詳細な説明】
【技術分野】
【０００１】
本考案は折り畳み椅子の新型構造に関し、特に椅子の脚の展開固定が容易で、且つ、最小体積に折り畳め、堆積収蔵に便利な折り畳み椅子の構造に関するものである。
【背景技術】
【０００２】
公知の椅子の基本功能は人に座る場所を提供するものであるが、椅子に座る者がいない時場所を占有する。空間形態を変化させ、椅子の置放と使用の便利性を兼ね備えるために、折り畳んで壁に収容したり、或いは、堆積できる折り畳み椅子が開発された。折り畳み椅子は、一般に、座席部下に二つに交差して配置される椅子の脚があり、両椅子の脚は、角度変化に伴い、起立、及び、収合の効果を有する。しかし、折り畳み椅子は折り畳み後、全体の長さは変化せず、携帯、運搬に不便である。且つ、両椅子の脚の交錯に座席部の厚みを加えると、全体が厚くなり堆積収蔵に不便である。よって、公知の折り畳み椅子の構造は改善の必要がある。
【考案の開示】
【考案が解決しようとする課題】
【０００３】
本考案は、展開に便利で、収合後、堆積が便利な折り畳み椅子を提供することを目的とする。
【課題を解決するための手段】
【０００４】
本考案の折り畳み椅子の新型構造は、座椅子主架と、座椅子主架に折合する両椅子の脚、上方から座椅子主架に蓋をする弾性蓋板とからなる。座椅子主架の主体は、二つの縦向け支架、及び、二つの横向けの支架からなり、両横向け支架間の中段位置に中梁を設置し、中梁は支架により囲まれる空間を左右椅子脚空間の二部分に分割する。弾性蓋板は弾性板材で、中央位置から中梁上に固定され、両側の可動端は定位槽を有し、両椅子脚が回転軸部を形成して、外側に扇形翻動する。椅子脚の回転軸に近い一端は凸ブロックを形成し、椅子脚と座椅子主架が垂直になる時、凸ブロックは前記座椅子主架の外に突出し、凸ブロックは弾性蓋板の定位槽内に係合する。
【考案の効果】
【０００５】
本考案により、折り畳み椅子は展開に便利で、収合後堆積が便利になる。
【考案を実施するための最良の形態】
【０００６】
図１〜図２は本考案の好ましい実施例を示す図で、座椅子主架１０、座椅子主架１０に折合する両椅子の脚２０、上方から座椅子主架１０に蓋をする弾性蓋板３０、からなる。
【０００７】
座椅子主架１０の主体は、主に二つの縦向け支架１１、及び、二つの横向けの支架１２からなり、両横向け支架１２間の中段位置に中梁１３を設置し、中梁１３は支架により囲まれる空間を左右椅子脚空間１４の二部分に分割し、両椅子脚２０はそれぞれ両椅子脚空間１４内に容置され、平坦で露出しない。中梁１３は旋転素子１３２を有し、中梁１３が凹設する旋転素子槽１３１中に位置する。
【０００８】
両椅子脚２０は、縦向け支架１１に近接する横向け支架１２間に位置が相対する軸ブロック２１を有し、両椅子脚２０が回転軸部を形成して外側に扇形翻動する。また、二椅子脚２０の回転軸に近い一端は凸ブロック２２を形成し、椅子脚２０と座椅子主架１０が垂直になる時、凸ブロック２２は座椅子主架１０の外に突出し、凸ブロック２２は後述の弾性蓋板３０の定位槽３１内に係合する。椅子脚２０の旋転素子１３２は抵止部２３を掠める。
【０００９】
弾性蓋板３０は、アクリル或いは木板等の弾性板材で、中央位置から中梁１３上に固定され、両側の可動端は直立した凸ブロック２２の対応位置に定位槽３１を有し、定位槽３１により凸ブロック２２を制限した後、両椅子脚２０は座椅子主架１０と垂直状態を維持する。
【００１０】
図３で示されるように、本考案の折り畳み後、両椅子脚２０は完全に座椅子主架１０の椅子脚空間１４内に収容され、空間体積と厚さが最小まで縮小する。旋転素子１３２が椅子の抵止部２３で停止し、両椅子脚２０の角度が固定されて外翻せず、堆積或いは移動に便利である。
【００１１】
上述の構造の実施後、本考案は椅子脚の展開とその角度の固定が容易になり、折り畳み後、全体の体積と厚さが大幅に減少し、数量が多いときの堆積置放に便利で、収蔵空間の占有を減少させる。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１３】
【図１】本考案の好ましい実施例による構造分解図
【図２】本考案の好ましい実施例による外観参考図
【図３】本考案の好ましい実施例による折り畳み状態図
【符号の説明】
【００１４】
１０    座椅子主架
１１    縦向け支架
１２    横向け支架
１３    中梁
１３１  旋転槽
１３２  旋転素子
１４    椅子脚空間
２０    椅子脚
２１    軸ブロック
２２    凸ブロック
２３    抵止部
３０    弾性蓋板
３１    定位槽
【図１】
0003136384.tif 000003
【図２】
0003136384.tif 000004
【図３】
0003136384.tif 000005
(57)【要約】      （修正有）【課題】リモコンが行方不明にならない整理箱を提供する。【解決手段】マジックテープ（登録商標）２をリモコン本体１に貼り付ける。ひも４の端に、マジックテープ３を貼り付け、ひものもう片方の端を整理箱に固定する。マジックテープどうしを貼り合わせ、リモコンを整理箱に収納する。【選択図】図１
0003136317.tif 000002
【実用新案登録請求の範囲】
【請求項１】
（イ）リモコン本体の適当な場所にマジックテープ（登録商標）を貼る。
（ロ）ひもの先端にマジックテープを取り付け、このマジックテープをリモコン本体のマジックテープに貼り合わせる。
（ハ）整理箱に、ひもの端を固定する。
以上の如く構成されたリモコン整理箱。
【考案の詳細な説明】
【技術分野】
【０００１】  この考案は、家庭内のさまざまなリモコンをきれいに整理する箱に関するものである。
【背景技術】
【０００２】  従来、リモコンの整理箱は、その箱の中を仕切りで区分けして、それぞれの区分けにリモコンを入れるだけのものであった。
【考案の開示】
【考案が解決しようとする課題】
【０００３】  家庭内のさまざまなリモコンをきれいに整理しようとして、テーブルの上に並べて置いても、使った後に無意識で置いた場所がわからなくなって、探しまわることがよくある。また、仕切りで区切られた整理箱に入れても、結果はやはり同じである。
【課題を解決するための手段】
【０００４】  マジックテープ（登録商標）をリモコン本体に貼り付け、そこに、整理箱にその端を固定した、マジックテープの付いたひもを貼り合わせた後、リモコンを整理箱に収納する。
【考案の効果】
【０００５】  リモコン本体と整理箱がひもでつながっているために、リモコンが行方不明になることは、なくなった。万一、ひもがからまった場合は、マジックテープをはずして、すぐに元の状態に戻せる。
【考案を実施するための最良の形態】
【０００６】  以下、本考案の実施の形態を図面に基づき詳細に説明する。【０００７】  図１は本考案実施時の右  側面図、図２は本考案の基本となる箱の斜視図、図３は本考案の箱全体の斜視図である。【０００８】  図２で、リモコン本体１の裏面にマジックテープ雄２を貼る。
ひも４の先端にマジックテープ雌３を取り付け、このマジックテープ雌３をリモコン本体１の裏面のマジックテープ雄２に貼り合わせる。【０００９】  図２で、基本になる整理箱５は、例えば縦３ｃｍ、横１９ｃｍ、高さ１１ｃｍの寸法を有する直方体形状をしているとする。この整理箱５に、仕切り６を付けて２つの収納スペースに分ける。整理箱５の上底と底は、無くしておく。この整理箱を整理箱Ａ型７とする。【００１０】  図３のように、整理箱Ａ型７と同じ大きさで、上底のある整理箱を整理箱Ｂ型８とする。２つ整理箱Ａ型７の間に整理箱Ｂ型８をはさみ、この３つを接合する。整理箱Ａ型Ｂ型Ａ型を接合したものの下半分を包むように、外枠となる箱Ｃ型９を作る。【００１１】  図３で、４つの収納スペースの入り口に、ひも４の端をそれぞれ固定する。ひも４の色は、識別しやすいように、それぞれ違う色にする。整理箱の奥の２本のひもは約１００ｃｍ、手前の２本のひもは可動範囲を高めるため約１５０ｃｍとする。さらに、手前の２本のうち１本は、約１００ｃｍのところで２つに切り、切った箇所のリモコン本体１側にマジックテープの雄１０、整理箱側にマジックテープの雌１１を付け、そのマジックテープどうし１０・１１を貼り合わせる。これは、ひも４のからまりを直すためのものである。【００１２】  図１は、完成図である。できあがった整理箱に、リモコン４つを収納する。これ以上の数のリモコンの収納は、ひも４のからまり具合からみて不適切である。万一、複数のひも４がからまった場合は、マジックテープの適当な接合箇所を一旦はずして、ひもを元のからまりのない状態に戻してから、マジックテープをまた貼り合わせる。【００１３】  整理箱の手前の長いひもの付いた収納スペースは、よく使うリモコンを収納すると便利だ。また、整理箱の底に、ゴミなどがたまった場合は、外枠の箱Ｃ型９をはずし、ゴミを掃除できる。
【図面の簡単な説明】
【００１４】
【図１】  本考案実施時の右  側面図
【図２】  本考案の基本となる箱の斜視図
【図３】  本考案の箱全体の斜視図
【符号の説明】
【００１５】  １  リモコン本体
２  マジックテープ雄
３  マジックテープ雌
４  ひも
５  基本の整理箱
６  仕切り
７  整理箱Ａ型
８  整理箱Ｂ型
９  整理箱Ｃ型
１０  ひもの途中のマジックテープ雄
１１  ひもの途中のマジックテープ雌
【図１】
0003136317.tif 000003
【図２】
0003136317.tif 000004
【図３】
0003136317.tif 000005
(57)【要約】      （修正有）【課題】建物天井面に丸型制気口の開口墨を正確で簡単に迅速に出す事を目的とする丸型制気口開口墨だし治具である。【解決手段】定規状に薄厚アルミ鋼板を加工し、芯用小穴２及び丸型制気口サイズ小穴４を開け芯用小穴に芯小穴固定ピンで天井面に固定し制気口サイズ小穴に鉛筆等を入れコンパスの様に丸い開口墨を正確で簡単にかつ迅速に書く事が出来る。【選択図】図１
0003136323.tif 000002
【実用新案登録請求の範囲】
【請求項１】
建物天井面に空調用丸型制気口を取付ける時、器具の必要開口寸法を墨だしする為の治天井面に器具中心点を出し、治具の器具芯用小穴を合わせ固定ピンを刺し器具直径を示小穴に筆記具を刺しコンパス状にて使用することにより天井面に丸の天井開口を表示する天井面丸型制気口開口用墨だし治具である。
【考案の詳細な説明】
【技術分野】
【０００１】本考案はアルミ鋼板製の軽量かつ十分な強度を持つ天井面墨だし治具である。
【背景技術】
【０００２】一般に天井面に取付ける制気口（ここでは丸アネモと称される制気口）は天井ボード面に器具取付ける為の開口用墨だしをする必要がある。
天井面墨だし工事において、足場上で天井面にコンパス、糸を使用又は型紙（ダンボール、薄ベニヤ製）等で行っている。コンパスはケガいた後に鉛筆・マジックで再度上書が必要である。
作業時間もかかり上向き作業には身体的苦痛もある。
【考案の開示】
【考案を解決しようとする課題】
【０００３】コンパス又は糸を使用する事による墨だしはケガいた後ハッキリとした上書きが必要となる。
型紙による墨だしは強度的にも弱く型崩れが起き易くサイズ毎の型紙が必要となる上、芯位置合せが難しい。又上向き姿勢で長時間の作業を身体的にも苦痛もある。
本考案はこれを解決する為のものである。
【問題を解決するための手段】
【０００４】本考案は定規状に薄厚アルミ鋼板を加工し片方の端に芯用の小穴を設け反対側に向かつて鉛筆・マジック差込用小穴を丸型制気口開口サイズ毎に設けた治具であり、芯用小穴に固定ピンを入れ天井面に固定し制気口サイズ小穴に鉛筆・マジックを入れ回して線を書く様にするで丸い開口墨を正確に短時間作業で書くことが出来、問題を解決している。
【考案の効果】
【０００５】上記のような定規上薄厚アルミ鋼板は軽量、安価で強度的にも恒久的に使用できる。
コンパスの原理で天井面に１回回すだけで正確に墨を出すことが出来る。又上向きの姿勢でも短時間作業のため身体的疲労もない。
【考案の実施するための最良の形態】
【０００６】定規上の薄型アルミ鋼板を使用する事により軽量かつ恒久的に使用できる。
【０００７】工具芯小穴より１ｃｍおきに小穴を設ける事によりコンパスとして他の墨だしも可能となる。
【実施例】
【０００８】以下、添付書類に従って実用例を説明する。
大（５０ｃｍ）・小（４０ｃｍ）の形状とし、必要サイズに合せ携帯し易くする。
芯小穴固定ピンは虫ピンにプラスチック製つまみを付けた物とする。
工具長手方向に通常のスケール表示をする。【０００９】本考案は上述の如き構成からなる物です。強度上恒久性があり軽量で疲労感なく正確かつ迅速に天井面に墨だしが出来る。
【図面の簡単な説明】
【００１０】
【図１】本考案の天井面丸型制気口墨だし工具の正面図である。
【符号の説明】
【００１１】▲１▼  アルミプレート本体
▲２▼  器具芯用小穴
▲３▼  芯小穴固定ピン
▲４▼  制気口墨出し小穴
▲５▼  墨出し小穴
【図１】
0003136323.tif 000003
(57)【要約】      （修正有）【課題】従来のコンポスト化装置の不衛生環境や堆肥化の不効率を改善するために安価でしかも実用性に優れ，かつ太陽光のエネルギーを活用する新たな概念のコンポスト化装置を提供する。【解決手段】コンポスト化装置の蓋２や容器１の一部又は全部を透明にすることにより，太陽光６を取り入れ夏場であれば約６０℃の蓄熱が可能となり，ハエや昆虫類がほとんど生息できなくなり，また病原菌の繁殖を押さえることができ，また生ゴミなどが約６０℃の温度の状態で分解が促進される。【選択図】図２
0003136325.tif 000002
【実用新案登録請求の範囲】
【請求項１】
合成樹脂又はガラス，木，アルミニウムや鉄又はその合金類，紙，陶器からなるコンポスト化装置の蓋や容器の一部又は全部を透明にして太陽光を内部に入れ，蓄熱を図ることを特徴とする太陽光コンポスト化装置
【請求項２】
請求項１に記載のコンポスト化装置の透明部分は，合成樹脂，ガラスなどにより太陽光を取り入れることができる素材を特徴とする太陽光コンポスト化装置
【請求項３】
請求項１と請求項２に記載のコンポスト化装置の底を開放にして生ゴミや食材の残滓や落ち葉などを土の上に直接に積み上げる太陽光コンポスト化装置
【請求項４】
請求項１と請求項２に記載のコンポスト化装置の底を閉じて排水口をつけ，密閉してたまったバイオガスを取り出す口をつけた太陽光コンポスト化装置
【請求項５】
請求項１，請求項２に記載のコンポスト化装置の容器の蓋，側面を二重構造にして保温効果が上がるようにして蓄熱化を図ることを特徴とする太陽光コンポスト化装置
【考案の詳細な説明】
【技術分野】
【０００１】  本考案は，合成樹脂又はガラス，木，アルミニウムや鉄又はその合金類，紙，陶器からなる円柱の形容又はその他，多角柱形容のコンポスト化装置の一部あるいは全部を透明にし太陽光が容器内に入るコンポスト化装置化装置。
【背景技術】
【０００２】  合成樹脂などから作られた円筒形の上部が蓋として，下部が開放され土に直接に生ゴミや食材の残滓などが積まれ堆肥にするコンポスト化装置が知られている。
【特許文献１】特許公開平９−７７５７９号公報
【特許文献２】特許公開平１０−１５２２０１号公報
【考案の開示】
【考案が解決しようとする課題】
【０００３】  しかしながら，従来のコンポスト化装置製品は生ゴミ食材の残滓などの堆肥化の過程で，ハエの幼虫（ウジ虫）やハエなどが容器内に発生し，液体状になり処理しにくく，また病原菌の繁殖しやすい状況で衛生上の問題があった。不衛生，不潔，不愉快の印象があり普及がすすまない欠点があった。また，コンポスト化装置の内部が太陽光がさえぎられているために容器内の温度があがらず，夏場でも堆肥化が促進されにくい欠点があった。
【問題を解決するための手段】
【０００４】  本考案は，コンポスト化装置の蓋や容器の一部又は全部を透明にすることにより，太陽光を取り入れ夏場であれば約６０℃の蓄熱が可能となり，ハエや昆虫類がほとんど生息できなくなり，また病原菌の繁殖を押さえることができる。生ゴミなどが約６０℃の温度の状態を続けるようになり，分解が促進される。
【考案の効果】
【０００５】  コンポスト化装置の蓋や容器の一部又は全部を透明化することで上記のことが可能になるので，安価で実用性にも優れ，広く普及し生ゴミなどの堆肥化を各家庭でより簡単に作れるようになり，生ゴミの量を削減し，リサイクルとして環境保全に貢献できる。
【考案を実施するための最良の形態】
【０００６】  図１に示すように，コンポスト化装置の蓋と容器の一部を透明して，太陽光を取り入れれば容器の中の生ゴミなどが蓄熱され，ハエの幼虫などが生育できなくなり衛生上の改善が図られる。また，温度の上昇により生ゴミなどの分解が促進される。下部では開放されているので蓄熱と同時に土の力による分解も進む。【０００７】  図２に示すように，下部を密閉にした場合は都市部のベランダなどでも使用可能で液体を抜けるように網を張り，排水口をつける。また密閉し，バイオガスとしての使用もできる。バイオガスの取り出し口を付けることも可能である。【０００８】  図３に示すように六角柱の容器にし，留め具などで集合化すると，面積が無駄なく使える。時期ごとに堆肥化を図れる。利点がある。【０００９】  図４に示すように容器の側面を二重の壁にし，中に空気か真空などにして保温効果を高めると蓄熱化がより図れる。
【産業上の利用可能性】
【０００１０】  透明化を図ることで，きわめて簡単な構造で生ゴミなどの分解を促進できる。エネルギーは太陽光なので費用がかからない。衛生的である。熱の蓄積化をすすめれば１００℃の温度も得ることができる。
【図面の簡単な説明】
【０００１１】
【図１】  本考案に係る基本的構造図であり，太陽光を取り入れ可能で，下部が開放のコンポスト化装置。
【図２】  本考案に係る太陽光を取り入れ可能で，下部が密閉されたコンポスト化装置，排水口から液体を取り出し，またバイオガスを取り出せる。
【図３】  本考案に係る太陽光を取り入れ可能で，六角柱の形のコンポスト化装置。
【図４】  本考案に係るコンポスト化装置の容器の二重構造の概念図。
【符号の説明】
【０００１２】      １  容器
２  蓋
３  側面
４  液体の排水口
５  バイオガスの取り出し口
６  太陽光
７  二重構造
【図１】
0003136325.tif 000003
【図２】
0003136325.tif 000004
【図３】
0003136325.tif 000005
【図４】
0003136325.tif 000006
(57)【要約】【課題】簡単に座板等を上下移動できるようにした学習用椅子の提供。【解決手段】座板部と背凭れ部と脚体部とからなって、脚体部の上下方向に一定ピッチで複数の座板取付穴を列設し、座板の高さを調節できるようにしている。【選択図】図１
0003136329.tif 000002
【実用新案登録請求の範囲】
【請求項１】
左右一対の脚体部の側板に設けた一定ピッチで列設した取付穴から、左右側板及び後幕板の固定穴に向けてネジを螺入し座板の高さを調節できるようにした学習用椅子
【請求項２】
座板部の下面に前後方向に一定ピッチで複数の背凭れ部取付穴を列設し、支持部に座板部１の背凭れ部取付け穴に対応する位置に取付け穴を設けた背凭れ部の取付け部を背凭れ部取付け穴にネジ止めして背凭れ部を前後調節できるようにした学習用椅子
【請求項３】
左右一対の脚体部の側板に設けた一定ピッチで列設した取付穴から、左右側板及び後幕板の固定穴に向けてネジを螺入し座板の高さを調節できるようにするとともに、座板部の下面に前後方向に一定ピッチで複数の背凭れ部取付穴を列設し、支持部に座板部１の背凭れ部取付け穴に対応する位置に取付け穴を設けた背凭れ部の取付け部を背凭れ部取付け穴にネジ止めして背凭れ部を前後調節できるようにした学習用椅子
【考案の詳細な説明】
【技術分野】
【０００１】  本考案は、学童の成長に応じて座板の調節ができる組立式用椅子に関するものである。
【背景技術】
【０００２】  成長期の学童の学習用椅子は、当初は体型に合わせて購入しても成長が早くすぐに窮屈になってしまうことから座板を上下できるようにした椅子はある（特許文献１）。【０００３】  しかし、背凭れに凭れるため後部の座板部分が軋み易くなるため強度を保つようにすることが望ましいが、従来のものは前部も後部も同じような強度であったため毀損しやすいものであった。【０００４】  また、背板の位置がそのままであると座ったときに尻が座板から前のめりにはみ出るようになるため非常に座り難いものであった。【０００５】  そこで、簡単に座板の高さを調節でき、必要に応じて背板も前後に移動できるようにした学習用椅子が望まれていた。【０００６】
【特許文献１】実用新案登録第２５６２６６３号公報
【考案の開示】
【考案が解決しようとする課題】
【０００７】  本考案は、上述した従来技術の欠点を除くためになされたものである。即ち、座板を上下移動できるようにするとともに、背板も前後移動できるようにしたものである。【０００８】  このようにすることによって、学童の成長度に適した座りやすい学習用椅子を提供することができる。
【課題を解決するための手段】
【０００９】  このような問題点を解決するために、本考案は、座板部と背凭れ部と脚体部とからなって、脚体部の上下方向に一定ピッチで複数の座板取付穴を列設し、座板の高さを調節できるようにしたことを特徴とするものである。【００１０】  また、座板部の下面に前後方向に一定ピッチで複数の背凭れ部取付穴を列設し、背凭れ部の前後移動ができるようにしたことを特徴とするものである。
【考案の効果】
【００１１】  本考案は、このような構成であるので、座板部だけでなく背凭れ部の調節もできるので学童の成長に適した椅子を提供することができる。【００１２】  また、座板部を軽量なものとすることにより高さ調節が簡単に行うことができる。【００１３】  このように本願考案は、単に座板の上下位置だけを変えるのではなく、背凭れ部の前後位置を変えることができるので、学童の身体に適するように微調節が可能な椅子とすることができる。
【考案を実施するための最良の形態】
【００１４】
【実施例】
【００１５】  実施例について図面を参照して説明すると、図１において、１は座板部、２は背凭れ部、３は脚体部である。【００１６】  座板部１は、座受け板１１の上にカバーを被覆したクッション１２を配置固定している。座受け板１１は、鬼目ナット１３を埋め込み、鬼目ナット１３に対応する固定穴１４を持った台輪４に固定穴１４の下方からボルト１５を差し込み固定されている。台輪４は、前板４１、左右側板４２、４３そして後幕板４４とからなり、後幕板４４は左右側板４２，４３の底面間に架設している。前板４１と後幕板４４間には、左右側板４２，４３と並設する背凭れ部取付け板４５，４６を設けている。背凭れ部取付け板４５，４６には、一定のピッチで鬼目ナットを埋め込んでいる背凭れ部取付け穴４７、４８を列設している。【００１７】  背凭れ部２は、背板２１と底面が後方に突き出るように屈曲した支持部２２からなり、背板２１は、支持部２２に固定している。支持部２２は、底面前方に幅広の座板部取付板２３を固設している。取付板２３には、座板部１の台輪４の背凭れ部取付板４５，４６、の背凭れ部取付け穴４７、４８にネジ止めするネジ穴を両側に設けている。【００１８】  脚体部３は、左右一対の側板３１，３２からなり、側板３１，３２は、前脚５１、後脚５２そして前後脚を連結する上部横桟５３と接地桟５４とからなっている。前後脚５１，５２には座板取付穴５５を一定のピッチで列設している。左右側板３１、３２は、端面に鬼目ナットを埋め込んだ前後貫６１，６２を、鬼目ナットに対応する位置の座板取付穴５５、５６の最下段の穴からネジを差し込みネジ止めし、貫６１，６２を架設している。【００１９】  そして、座板部１は、左右側板及び後幕板の側面に、座板取付け穴に対応する位置に鬼目ナットを埋め込み、脚体部に固定できるようにしている。【００２０】  また、背凭れ部２は、支持部２２に座板部１の背凭れ部取付け穴に対応する位置に取付け穴を設けた座板部取付板２３を背凭れ部取付け穴４７，４８にネジ止めしている。
【図面の簡単な説明】
【００２１】
【図１】本考案の前方方向より見た斜視図である。
【図２】本考案の後方方向より見た斜視図である。
【図３】本考案の側面図である。
【図４】本考案の座板部の断面図である。
【図５】本考案の一部断面平面図である。
【図６】本考案の背凭れ部の側面図である。
【符号の説明】
【００２２】１    座板部
２    背凭れ部
３    脚体部
４    台輪
【図１】
0003136329.tif 000003
【図２】
0003136329.tif 000004
【図３】
0003136329.tif 000005
【図４】
0003136329.tif 000006
【図５】
0003136329.tif 000007
【図６】
0003136329.tif 000008